(57)【特許請求の範囲】
【請求項１】
スクリーン板上の塗布剤をスキージを介してプリント基板に印刷するスクリーン印刷機に於いて、前記スキージを印刷面に対して、上下動する印圧が調整可能なエアシリンダと、前記エアシリンダ自体を上下動させる駆動モータと、印刷動作開始前に前記エアシリンダのピストンがストロークエンドでかつ前記スキージがスクリーン板を介して前記プリント基板に当接して印圧が設定印圧となるエアシリンダ自体の下降移動距離を算出する算出装置と、算出された下降移動距離を移動距離データとして記憶すると共に前記スキージが下降して前記スクリーン板を介して前記プリント基板に前記設定印圧で当接した印刷時の高さ位置から印刷が終了し基板側の規制がなくなる際に更に前記スキージを下降させる押し込み量データを記憶する記憶装置と、前記移動距離データ及び前記押し込み量データに基づいて前記駆動モータを制御して前記エアシリンダ自体を下降させ前記押し込み量を調整する制御装置とを設けたことを特徴とするスクリーン印刷機。
【請求項２】
スクリーン板上の塗布剤をスキージを介してプリント基板に印刷するスクリーン印刷機に於いて、前記スキージの取付け角度を調整可能とするスキージ角度調整機構と、前記スキージを印刷面に対して、上下動する印圧が調整可能なエアシリンダと、前記エアシリンダ自体を上下動させる駆動モータと、印刷動作開始前に前記エアシリンダのピストンがストロークエンドでかつ前記スキージ角度調整機構により所望角度に調整されたスキージがスクリーン板を介して前記プリント基板に当接して印圧が設定印圧となるエアシリンダ自体の下降移動距離を算出する算出装置と、各種角度に調整されたスキージ毎に算出された下降移動距離を移動距離データとして記憶すると共に前記スキージが下降して前記スクリーン板を介して前記プリント基板に前記設定印圧で当接した印刷時の高さ位置から印刷が終了し基板側の規制がなくなる際に更に前記スキージを下降させる押し込み量データを記憶する記憶装置と、前記スキージ角度調整機構により調整されるスキージ角度を指定する指定装置と、該指定装置により指定されたスキージ角度で印刷動作させる際に前記記憶装置に記憶された当該角度調整された際のスキージによる下降時に求めた前記移動距離データ及び前記押し込み量データに基づいて前記駆動モータを制御して前記エアシリンダ自体を下降させ前記押し込み量を調整する制御装置とを設けたことを特徴とするスクリーン印刷機。
【発明の詳細な説明】
【０００１】
【産業上の利用分野】
本発明は、スクリーン板上の塗布剤をスキージを介してプリント基板に印刷するスクリーン印刷機に関する。
【０００２】
【従来の技術】
此種の従来技術として、特開平４−２１３８８９号公報に開示されたものがある。これは、シリンダに所望の印圧となるようにエアを供給しシリンダ内のピストンを介してスキージを下降させて、スキージを介して塗布剤としてのクリーム半田を基板に印刷している。このとき、基板の反り等を考慮して基板上面レベルより更にスキージをある押込み量下降させて押し付けながら印刷するようにしている。また、印刷終了後スクリーンと基板とを相対的に移動させて版離れさせる際にスクリーンが暴れないようにスキージをある押込み量だけ押込んだ状態で押さえながらスクリーンが基板から離れるようにして基板上に印刷されたクリーム半田がきれいな形でスクリーンの開口から抜けるようにしている。
【０００３】
しかし、前記押込み量の設定動作として作業者がシリンダのストッパの位置を調整することによりシリンダのストロークエンドを設定しているため、所定押込み量の設定動作が面倒であった。また、スキージの角度を変更する度にこの煩わしい作業を行わなければならず、作業性が悪かった。
【０００４】
【発明が解決しようとする課題】
従って、本発明はスキージの基板表面レベルからの押し込み量の設定作業を簡便にすることを目的とする。
【０００５】
【課題を解決するための手段】
そのため、本発明はスクリーン板上の塗布剤をスキージを介してプリント基板に印刷するスクリーン印刷機に於いて、前記スキージを印刷面に対して、上下動する印圧が調整可能なエアシリンダと、前記エアシリンダ自体を上下動させる駆動モータと、印刷動作開始前に前記エアシリンダのピストンがストロークエンドでかつ前記スキージがスクリーン板を介して前記プリント基板に当接して印圧が設定印圧となるエアシリンダ自体の下降移動距離を算出する算出装置と、算出された下降移動距離を移動距離データとして記憶すると共に前記スキージが下降して前記スクリーン板を介して前記プリント基板に前記設定印圧で当接した印刷時の高さ位置から印刷が終了し基板側の規制がなくなる際に更に前記スキージを下降させる押し込み量データを記憶する記憶装置と、前記移動距離データ及び前記押し込み量データに基づいて前記駆動モータを制御して前記エアシリンダ自体を下降させ前記押し込み量を調整する制御装置とを設けた設けたものである。
【０００６】
また、スクリーン板上の塗布剤をスキージを介してプリント基板に印刷するスクリーン印刷機に於いて、前記スキージの取付け角度を調整可能とするスキージ角度調整機構と、前記スキージを印刷面に対して、上下動する印圧が調整可能なエアシリンダと、前記エアシリンダ自体を上下動させる駆動モータと、印刷動作開始前に前記エアシリンダのピストンがストロークエンドでかつ前記スキージ角度調整機構により所望角度に調整されたスキージがスクリーン板を介して前記プリント基板に当接して印圧が設定印圧となるエアシリンダ自体の下降移動距離を算出する算出装置と、各種角度に調整されたスキージ毎に算出された下降移動距離を移動距離データとして記憶すると共に前記スキージが下降して前記スクリーン板を介して前記プリント基板に前記設定印圧で当接した印刷時の高さ位置から印刷が終了し基板側の規制がなくなる際に更に前記スキージを下降させる押し込み量データを記憶する記憶装置と、前記スキージ角度調整機構により調整されるスキージ角度を指定する指定装置と、該指定装置により指定されたスキージ角度で印刷動作させる際に前記記憶装置に記憶された当該角度調整された際のスキージによる下降時に求めた前記移動距離データ及び前記押し込み量データに基づいて前記駆動モータを制御して前記エアシリンダ自体を下降させ前記押し込み量を調整する制御装置とを設けたものである。
【０００７】
【作用】
以上の構成から、印刷動作開始前にエアシリンダのピストンがストロークエンドでかつスキージがスクリーン板を介してプリント基板に当接して印圧が設定印圧となるエアシリンダ自体の下降移動距離を算出装置は算出し、算出された下降移動距離を移動距離データとして記憶装置は記憶すると共にスキージが下降してスクリーン板を介してプリント基板に設定印圧で当接した印刷時の高さ位置から印刷が終了し基板側の規制がなくなる際に更にスキージを下降させる押し込み量データを記憶装置は記憶する。そして、制御装置は記憶装置に記憶された移動距離データ及び押し込み量データに基づいて駆動モータを制御してエアシリンダ自体が下降するように制御する。また、印刷終了後基板とスクリーンとが相対的に離れる際に、該スキージが押込み量データに設定された押込み量だけスクリーンを押し付けながら離反する。
【０００８】
また、作業者は印刷動作開始前に指定装置で指定されたスキージ角度となるようにスキージ角度調整機構を介して所望のスキージ角度に調整されたスキージをエアシリンダを介して基板上面レベルまで下降させる。このときのエアシリンダのピストンがストロークエンドでかつスキージ角度調整機構により所望角度に調整されたスキージがスクリーン板を介してプリント基板に当接して印圧が設定印圧となるエアシリンダ自体の下降移動距離が算出装置により算出され、算出された移動距離データが記憶装置に記憶されると共にスキージが下降してスクリーン板を介してプリント基板に設定印圧で当接した印刷時の高さ位置から印刷が終了し基板側の規制がなくなる際に更にスキージを下降させる押し込み量データが記憶装置に記憶される。そして、制御装置は印刷動作時に記憶装置に記憶された当該角度調整された際のスキージによる下降時に求めた移動距離データ及び押し込み量データに基づいて駆動モータを制御してエアシリンダ自体を下降させ押し込み量を調整する。また、印刷終了後基板とスクリーンとが相対的に離れる際に、該スキージが押込み量データに設定された押込み量だけスクリーンを押し付けながら離反する。
【０００９】
【実施例】
以下、本発明の一実施例を図面に基づき説明する。
図３の１はスクリーン印刷機で、図示しない上流側装置から搬送されてくるプリント基板２の上面にチップ状電子部品が装着されるように所望のパターンに塗布剤としてのクリーム半田が塗布される。
【００１０】
３は前記基板２を図示しない位置決め機構により位置決めした状態で載置する載置台で、図示しない駆動機構によりＸ、Ｙ、θ移動可能である。
４は前記載置台３の下部に設けられる移動台で、該移動台４の移動により載置台３を移動させる。即ち、移動台４を上下動するシリンダ５の上下動により載置台３を上下動させる。
【００１１】
６はスクリーンで、所望の回路パターンに穿設されたスクリーン板７と、該板７を囲むスクリーン枠８とから構成され、図示しない上下動機構により印刷開始前に基板側に下降され、印刷終了後上昇し基板２から離れる。尚、スクリーン６に対して基板側を下降させて、あるいは基板２とスクリーン６との両者が互いに離反するように構成しても良い。
【００１２】
９は前記スクリーン板７に下降した後該枠８に沿って摺動することによりスクリーン板７を介して基板２にクリーム半田を印刷する一対のスキージで、図４に示すように各スキージ９に対応したスキージ上下用エアシリンダ１０に圧縮空気供給源１１から供給されるエアが電空レギュレータ１２によりその圧力が調整された状態でエアバルブから成る各切換弁１３を介して供給されることにより夫々上下動される。前記電空レギュレータ１２は後述するロードセル４１（図２参照）で検出される基板２に当接時のスキージ９による印圧値を基にＣＰＵ５３からの指令により図２に示すように出力ボード７３、レギュレータコントローラ１４を介して電磁弁１２Ａを開動作させて所望の印圧を加圧するように制御される。
【００１３】
１７は前記シリンダ１０が取り付けられる取付板で、例えばパルスモータから成る駆動モータ１８が駆動されることにより該モータ１８にカップリング１９を介して取り付けられたボールネジ２０が回動されることにより、該ボールネジ２０に軸受２１を介して該取付板１７は固定されているので、シリンダ１０は駆動モータ１８の駆動により図６に示すリニアガイド２２にガイドされて上下動される。また、該シリンダ１０は前記リニアガイド２２が固定された枠体２３が図示しない移動機構によりベース２５上のリニアガイド２４にガイドされて移動されることにより、それに伴って印刷方向に水平移動される。尚、駆動モータ１８としてサーボモータを使用しても良い。また、前記移動機構として例えばパルスモータやサーボモータから成る駆動モータの駆動により回動される駆動プーリと、従動プーリ間を掛け渡されたベルトに前記枠体２３の一部を固定して、該ベルトの移動に伴って枠体２３が移動されることによりスキージ９を移動させる。
【００１４】
次に、前記シリンダ１０によるスキージ９の上下動機構について図５及び図６を基に説明する。
前記シリンダ１０のロッド２７にカップリング２８を介して取り付けられた取付板３０がガイド体３１にガイドされて上下動される。尚、該取付板３０は前記取付板１７との間に介在させたスプリング３２により取付板１７方向に接近するように付勢されている。
【００１５】
３５は前記ガイド体３１の下部に固定された断面コの字状のスキージ取付板で、該取付板３５の凹部にスキージホルダ３６が固定されたスキージ取付体３４が入り込んだ状態でネジ３７止めされている。尚、該スキージ取付体３４はスキージ９下面の左右の上下位置が調整可能となるように、前記取付板３５に軸３８を支点にして揺動可能で前記ネジ３７に対応したネジ穴は縦に長穴となっており、図６に示すように取付板３０の両側に設けられた印圧バランス調整用ネジ４０を夫々回動させて該ネジ４０の先端部に当接されたスキージ取付体３４の上面に固定されたロードセル４１をプリロード用スプリング４２の付勢力に抗して押圧することにより、軸３８を支点にしてスキージ取付体３４を揺動させて所望の位置で長穴を介してネジ３７止めして固定する。このとき、前記ネジ４０の先端部が当接されるロードセル４１の検出部４３によりスキージ９に加えられる各印圧が検出され、図２に示すアンプ７１に夫々に表示される。従って、作業者はこの表示されたデータを基に両側にかかる印圧のバランス（例えば５ｋｇｆの印圧をかける場合には両側のロードセル４１で夫々２．５ｋｇｆと検出されるのが望ましい。）を整えてスキージ取付体３４を固定する。そして、該ロードセル４１で検出された印圧値は入力ボード７２を介してＣＰＵ５３に送られる。
【００１６】
尚、スキージ９を固定したスキージホルダ３６はスキージ取付体３４に図４に示すようにお互いに向き合った状態でいるスキージ９のスキージ角度をペースト半田の粘度、印刷パターン孔径等に応じて調整可能に取り付けられている。即ち、スキージ角度調整機構はスキージ取付体３４の長手方向に貫通した軸４５を支点に回動するウォームホイール４６がウォーム４７が回動されることにより回動されることにより、前記軸４５に固定されたスキージホルダ３６が所定角度となるように調整される構成となっている。この回動は、前記軸４５にカップリング４８を介して取り付けられたロータリエンコーダ４９により検出され、図示しない表示装置に現在の角度が逐次表示される。尚、スキージ角度を指定したら図示しない駆動機構によりウォーム４７を自動で回動させて、あるいは軸４５を直接自動で回動させてスキージ角度の調整を自動化させるようにしても良い。
【００１７】
次に、制御系統について説明する。図１に示す５３は制御装置としてのＣＰＵであり、記憶装置としてのＲＡＭ５４に格納されたスクリーン印刷機１の基板２の印刷動作に係わる種々の情報に基づき記憶装置としてのＲＯＭ５５に格納された動作プログラムに従って行う。
５６はインターフェースであり、前記シリンダ５、スキージ上下用シリンダ１０、電空レギュレータ１２、駆動モータ１８、荷重変換器としての歪ゲージ式ロードセル４１、ロータリエンコーダ４９、ＣＲＴ５７、始動キー５８及び停止キー５９等を有する操作部６０及び後述するタッチパネルスイッチ６５等が接続されている。
【００１８】
データ入力装置としてのタッチパネルスイッチ６５は、図示しない取り付け具を介してＣＲＴ５７の画面上に取り付けられている。また、該タッチパネルスイッチ６５はガラス基板の表面全体に透明導電膜がコーティングされ、四辺に電極が印刷されている。そのため、タッチパネルスイッチ６５の表面に極微少電流を流し、作業者がタッチすると四辺の電極に電流変化が起こり、電極と接続した回路基板によりタッチした座標値がＲＡＭ５４内にある作業を行わせるスイッチ部として予め記憶された座標値群の中の座標値と一致すれば、当該作業が行われる。
【００１９】
以下、各種設定動作について説明する。
先ず、電源を投入すると、ＣＲＴ５７は図７に示す初期画面を表示する。この初期画面には、「生産運転」、「段取作業」、「データ編集」、「装置メンテナンス」及び「環境設定」の各項目別の操作スイッチ部が表示される。尚、各操作スイッチ部は項目別に色分けされていると共に二重枠で表示されていて、その上面にタッチパネルスイッチ６５が取り付けられている。
【００２０】
この画面の「生産運転」の操作スイッチ部をタッチすると、図８に示す生産運転（停止中）の画面が表示される。この画面の「サブメニュー」の操作スイッチ部をタッチすると、図９に示すサブメニューの画面が表示される。
この画面には、「生産運転ステップ指定」、「運転方法設定」、「生産機種データ修正」等の各種操作スイッチ部が表示される。
【００２１】
この画面で、「生産機種データ修正」の操作スイッチ部をタッチすると、図１０に示す生産機種データ修正の画面が表示される。この画面で「印刷データ」の操作スイッチ部（図１０の斜線部分）をタッチすると、図１１に示す印刷データの画面が表示される。
この画面には、基板寸法（Ｘ（横）、Ｙ（縦）、Ｔ（厚み））データを設定する「基板寸法」、スキージ９（右側、左側）の印圧データを設定する「印圧選択」、スキージ９（右側（Ａ）、左側（Ｂ））の基板上面レベル（基準レベル）からの押込み量データを設定する「スキージＡ押込み量」、「スキージＢ押込み量」等の各操作スイッチ部がある。
【００２２】
ここで、「基板寸法のＸ（横）」の操作スイッチ部（図１１の斜線部分）をタッチすると、該スイッチ部が点灯されると共に画面左下のデータ入力表示部に「基板寸法Ｘ（横）：    ｍｍ（データが設定されている。尚、現在は入力されていない。）」と表示され、画面右下に「テンキー」の各操作スイッチ部が表示される。
【００２３】
そして、作業者は扱う基板２のＸ（横）方向の寸法（例えば１２３．４５）を該テンキーを使用して前記データ入力表示部に入力し、画面右下の「設定」の操作スイッチ部をタッチすると、前記「基板寸法Ｘ（横）」の操作スイッチ部が「１２３．４５ｍｍ」と表示されると共に点灯が解除され、ＲＡＭ５４内に記憶される。
【００２４】
また、「基板寸法のＹ（縦）」の操作スイッチ部をタッチすると、同様に該スイッチ部が点灯されると共に画面左下のデータ入力表示部に「基板寸法Ｙ（縦）：    ｍｍ（データが設定されている。尚、現在は入力されていない。）」と表示され、画面右下に「テンキー」の各操作スイッチ部が表示される。
そして、作業者は扱う基板２のＹ（縦）方向の寸法（例えば１２３．４５）を該テンキーを使用して前記データ入力表示部に入力し、画面右下の「設定」の操作スイッチ部をタッチすると、前記「基板寸法Ｙ（縦）」の操作スイッチ部が「１２３．４５ｍｍ」と表示されると共に点灯が解除され、ＲＡＭ５４内に記憶される。同様にして、基板寸法のＴ（厚み）に所定データを設定する。
【００２５】
次に、「印圧選択（右側）」の操作スイッチ部（図１２の斜線部分）をタッチすると、該スイッチ部が点灯されると共に画面左下のデータ入力表示部に「印圧選択（右側）：    ｋｇｆ（データが設定されている。尚、現在は入力されていない。）」と表示され、画面右下に「テンキー」の各操作スイッチ部が表示される。
【００２６】
そして、作業者は所望印圧値（例えば５．０ｋｇｆ）を該テンキーを使用して前記データ入力表示部に入力し、画面右下の「設定」の操作スイッチ部をタッチすると、前記「印圧選択（右側）」の操作スイッチ部が「５．０ｋｇｆ」と表示されると共に点灯が解除され、ＲＡＭ５４内に記憶される。また、同様にして左側のスキージ９に対する印圧値（例えば５．０ｋｇｆ）を設定する。これにより、印刷時には各スキージ９による印圧が前記設定した印圧値に基づいて印刷されロードセル４１により検出される。また、印圧が設定印圧値となるようにシリンダ１０にエアを供給してスキージ９がスクリーン板７上面に当接した位置がスキージ９の高さ位置（基準レベル）が零となる位置であり、後述するスキージ押込み量データとは、この基準レベルから更にスキージ９を下降させる量のことである。尚、右側、左側のスキージの設定印圧値は必ずしも一致させる必要はない。
【００２７】
次に、「スキージＡ（右側）押込み量」の操作スイッチ部（図１３の斜線部分）をタッチすると、該スイッチ部が点灯されると共に画面左下のデータ入力表示部に「スキージＡ押込み量：    ｍｍ（データが設定されている。尚、現在は入力されていない。）」と表示され、画面右下に「テンキー」の各操作スイッチ部が表示される。
【００２８】
そして、作業者は所望の押込み量（例えば２．０ｍｍ）を該テンキーを使用して前記データ入力表示部に入力し、画面右下の「設定」の操作スイッチ部をタッチすると、前記「スキージＡ押込み量」の操作スイッチ部が「２．０ｍｍ」と表示されると共に点灯が解除され、ＲＡＭ５４内に記憶される。
また、同様に「スキージＢ押込み量」の操作スイッチ部をタッチして「テンキー」を使用して所望の押込み量（例えば２．０ｍｍ）を設定する。尚、右側、左側のスキージの設定押込み量は必ずしも一致させる必要はない。
【００２９】
更に、該図１３の画面の「ページ送り」の操作スイッチ部をタッチすると、例えばスキージ９の移動速度データやスクリーン板７（基板２）の印刷範囲データ等を設定する図示しない印刷データ画面が表示される。
以下、動作について説明する。
先ず、作業者は印刷動作開始前にスキージ下降時の基板上面レベルまでの移動距離の設定動作を行う。即ち、スキージ角度調整機構のウォーム４７を回動させて、エンコーダ４９で検出され、表示装置に表示される現在のスキージ９のスキージ角度が所望角度となったらウォーム４７の回動を止める。この作業を右側と左側のスキージ９に対して行う。
【００３０】
次に、載置台３に基板２を載置させた後該載置台３を印刷位置まで上昇させると共にスクリーン６を基板側に移動させる。これにより、印刷作業位置に準備された基板２に対してスキージ９を下降させる。例えば、図４に示すように作業者は左側のスキージ上下用エアシリンダ１０にエアを供給させ左側のスキージ９を下降させると共に駆動モータ１８を介して該スキージ９による印圧が設定印圧となったことがロードセル４１により検出されるまで下降させる。このスキージ９がスクリーン板７を介して基板２に当接して、印圧が設定印圧となった位置が基板上面レベルが零となる位置である。そして、このスキージ９の基板上面レベルまでの下降移動距離が駆動モータ１８のパルス数を基にＣＰＵ５３内の算出装置により算出され、ＲＡＭ５４に移動距離データとして記憶される。また、同様に右側のスキージ９での移動距離データの設定動作を行い、基板２を載置台３から取り外す。このように、スキージ角度を調整したら印刷動作開始前に当該スキージ９が基板上面レベルまで下降する際の移動距離データの設定動作を行う。
【００３１】
以上のように所望角度に調整されたスキージ９に対する移動距離データの設定が完了したら自動運転を開始させる。
先ず、スクリーン印刷機１の電源を入れてＣＲＴ５７の画面上に図７の初期画面を表示させ、この画面上の「生産運転」の操作スイッチ部をタッチし図８の生産運転（停止中）の画面を表示させる。この画面が表示された状態で操作部６０の始動キー５８をタッチすると、生産運転中の画面に切替わると共に生産運転が開始される。
【００３２】
生産運転が開始され、供給コンベアの搬送レベルより下方にある載置台３の上方に該コンベアにより上流側装置から搬送されてきた基板２が位置されると、コンベアは停止される。
次に、載置台３はシリンダ５により搬送レベルより上昇され、該台３上に基板２が位置決めされた状態で載置される。
【００３３】
そして、図３に示す左側のスキージ９がＣＰＵ５３の指令により駆動されるスキージ上下用シリンダ１０及び駆動モータ１８により基板２上に下降される。即ち、このとき前述したようにしてＲＡＭ５４に記憶させた移動距離データ（スキージ９がスクリーン板７を介して基板２に当接した際の印圧が設定印圧となる基板上面レベルまでの下降移動距離）に印刷データの画面上の「スキージＢ押込み量」で設定された押込み量（例えば、２．０ｍｍ）分駆動モータ１８が駆動された後、左側のスキージ上下用エアシリンダ１０の駆動によりスキージ取付体３４を介してスキージ９が印刷データの画面上の「印圧選択（左側）」で設定された設定印圧（例えば、５．０ｋｇｆ）で下降されるようにレギュレータコントローラ１４を介して電空レギュレータ１２に指令を出し、該レギュレータ１２によりシリンダ１０に供給されるエアが調整されて、スキージ９がスクリーン板７を介して基板２に当接される。このとき、スキージ９はシリンダ１０のストロークエンドにいく途中で基板側に当接してこれ以上下がることができず、ロッド２７の上部の図示しないピストンがシリンダ１０のストロークエンドから押込み量分浮き上がった状態で止まる。
【００３４】
そして、駆動モータの駆動により図３の右方向にスキージ９が所望の速度で移動されることによりスクリーン板７上に供給されたクリーム半田を該板７の穿設された開口を介して基板２上に片側印刷する。この印刷動作時にスキージ９は図１３の画面で設定したスキージＢ押込み量データに基づいて基準レベルから所望押込み量（例えば、２．０ｍｍ）更に下降するようにモータ１８により働きかけられているので、基板２に反り等があってもクリーム半田がかすれることなく印刷できる。
【００３５】
また、印刷が終了し基板２からスキージ９及びスクリーン７が上昇する際に基板側の規制がなくなるため、シリンダ１０のストロークエンドから押込み量分浮き上がっていたピストンがエア圧の作用により下降するため、スキージ９が下降しスキージ９がスクリーン板７を押さえながら基板２から離れるためスクリーン板７が揺れることがなくなり、スクリーン板７の開口から基板上に印刷されたクリーム半田がきれいな形で抜ける。続いて、載置台３がシリンダ５により搬送レベルより下方に下降され、排出コンベアにより基板２が排出される。尚、スクリーン側を固定にし基板側を下降させる、あるいは基板側とスクリーン側の両者を互いに離反させて基板２とスクリーン板７とを離すような構成のものに於いても、該押込み量によりスキージがスクリーン板７を押さえながら移動するので、スクリーン板７が揺れたりして暴れることがない。
【００３６】
尚、この印刷動作中にＣＰＵ５３で前記駆動モータの移動距離をパルス数をカウントすることによりスキージ９が所望位置に到達する度にロードセル４１によりそのときの印圧が検出されると共にアンプ７１に印圧値が表示される。そして、その複数点の検出値の平均した値をＲＡＭ５４に記憶すると共に次回印刷動作時にフィードバックする。即ち、前記印刷時に検出した検出結果からＲＡＭ５４に設定された印圧データと前記平均値とのズレ量を算出し、再び左側のスキージ９を使用して印刷を行う場合に該ズレ量分補正するため、ＣＰＵ５３はレギュレータコントローラ１４を介して電空レギュレータ１２の電磁弁１２Ａを制御して印圧調整を行う。
【００３７】
以下、同様にして印刷動作が続けられる。
以上は片側印刷の場合について説明したが、１枚の基板２に対して往復印刷させる場合にも同様にして行われる。
また、本実施例では機種切替によりスキージ角度を変更した後、印刷動作開始前に当該スキージ９による基板上面レベルまでの下降時の移動距離データの設定動作を行っているが、予め機種替えにより使用する全てのスキージ角度に対する移動距離データをＲＡＭ５４に記憶させておき、図１１等に示す印刷データ内にスキージ角度を指定する操作スイッチ部を設けておき機種替え時に所望のスキージ角度を指定することにより下降時の移動距離データの選択ができるようにしても良く、これにより機種替え毎に移動距離データの設定動作を行う必要がなくなる。
【００３８】
更に、基準とするスキージ角度に対する移動距離データを１つ求めＲＯＭ５５に記憶させ、機種替えによりスキージ角度を変更する場合にスキージ角度調整機構を介してスキージ９のスキージ角度を調整すると共にそのスキージ角度を図１１等に示す印刷データ内にスキージ角度を指定する操作スイッチ部を設けておき、該画面上でスキージ角度を指定する。そして、図１４に示すようにあるスキージ９の基準角度（図１４に例えば点線で示した角度）と今回使用するスキージ角度（図１４に例えば実線で示した角度）との間の基板２に対する高さ位置（ｈ）をＣＰＵ５３で算出させ基準の移動距離データに該算出高さデータを加味して、基板上面レベルが零となる位置を決定するようにしても良く、このような構成はスキージ角度を自動で変更可能とする機能を有する印刷機に於いて特に効果がある。尚、高さ位置ｈを求める式は
【００３９】
【数１】
0003623986.tif 000002
【００４０】
であり、基準の移動距離データにこの算出した高さ位置データを加味した値がそのスキージ９に対する移動距離である。
【００４１】
【発明の効果】
以上、本願の請求項1に係る発明によれば、スキージの押込み量の設定動作が簡便となり、設定動作中の運転停止時間の短縮がはかれ、生産性が向上する。
また、本願の請求項２に係る発明によれば、予め使用する全てのスキージ角度に対する基板上面レベルまでの移動距離データ及び押し込みデータを設定し、記憶しておくことにより、機種替えに伴いスキージ角度が変更された場合にも機種替え毎に移動距離データ及び押し込みデータの設定動作を行う必要がなくなり、生産性が更に向上する。
【図面の簡単な説明】
【図１】スクリーン印刷機の構成回路図である。
【図２】印圧調整機構の構成回路図である。
【図３】スクリーン印刷機の正面図である。
【図４】スキージの上下動機構を示す正面図である。
【図５】スキージの上下動機構を示す平面図である。
【図６】スキージの上下動機構を示す側面図である。
【図７】ＣＲＴに表示された画面を示す図である。
【図８】ＣＲＴに表示された画面を示す図である。
【図９】ＣＲＴに表示された画面を示す図である。
【図１０】ＣＲＴに表示された画面を示す図である。
【図１１】ＣＲＴに表示された画面を示す図である。
【図１２】ＣＲＴに表示された画面を示す図である。
【図１３】ＣＲＴに表示された画面を示す図である。
【図１４】基準のスキージ角度と指定スキージ角度との基板に対する高さ位置関係を示す図である。
【符号の説明】
１            スクリーン印刷機
２            プリント基板
７            スクリーン板
９      スキージ
１０        スキージ上下用エアシリンダ
１１        圧縮空気供給源
１２        電空レギュレータ
４１    ロードセル
５３    ＣＰＵ
５４    ＲＡＭ
【図１】
0003623986.tif 000003
【図２】
0003623986.tif 000004
【図３】
0003623986.tif 000005
【図４】
0003623986.tif 000006
【図５】
0003623986.tif 000007
【図６】
0003623986.tif 000008
【図７】
0003623986.tif 000009
【図８】
0003623986.tif 000010
【図９】
0003623986.tif 000011
【図１０】
0003623986.tif 000012
【図１１】
0003623986.tif 000013
【図１２】
0003623986.tif 000014
【図１３】
0003623986.tif 000015
【図１４】
0003623986.tif 000016